(57)【要約】【課題】イジェクト部材をより小型化してカードコネクタの占有面積を小とする。【解決手段】カード状体またはカード状体が載置されたトレイが挿入され、カード状体またはトレイが収納可能な扁平な収納空間を有するハウジングと、ハウジング内においてカード状体またはトレイを移動させる時に、負荷がかかる部分が断面Ｌ字状または断面Ｕ字状とされるイジェクト部材とを有するカードコネクタである。【選択図】図１８
2014179213.tif 000002
【特許請求の範囲】
【請求項１】
カード状体またはカード状体が載置されたトレイが挿入され、前記カード状体または前記トレイが収納可能な扁平な収納空間を有するハウジングと、
前記ハウジング内において前記カード状体または前記トレイを移動させる時に、負荷がかかる部分が断面Ｌ字状または断面Ｕ字状とされるイジェクト部材と
を有するカードコネクタ。
【請求項２】
前記カード状体または前記トレイを排出するための付勢部材を有し、
前記イジェクト部材が前記カード状体または前記トレイと前記付勢部材との間に介在される請求項１に記載のカードコネクタ。
【請求項３】
前記イジェクト部材が金属製で、レールを跨がって摺動する請求項２に記載のカードコネクタ。
【請求項４】
前記付勢部材としてのコイルばねと、
前記カード状体または前記トレイの押し込み状態をロックするロック機構と
を有する請求項３に記載のカードコネクタ。
【請求項５】
前記ロック機構がハートカムによるロック機構であって、カム溝が前記ハウジングの後方領域に形成されており、
前記イジェクト部材にロックピンの一端が固定され、前記ロックピンの摺動端が前記カム溝に挿入される請求項４に記載のカードコネクタ。
【請求項６】
前記カム溝の往復共通溝部と通じる溝部が前記レールの表面に形成され、
前記カード状体または前記トレイの挿抜と連動して前記ロックピンの摺動端が前記溝部および前記往復共通溝部を摺動する請求項５に記載のカードコネクタ。
【請求項７】
前記イジェクト部材が金属製で、回転自在に支持されるレバーであって、一端側が前記カード状体または前記トレイによって押され、他端側がイジェクト操作部材によって押されるレバーである請求項１に記載のカードコネクタ。
【発明の詳細な説明】
【技術分野】
【０００１】
この発明は、携帯電話機、ＰＤＡ(Personal Digital Assistants)、携帯型デジタルオ
ーディオプレーヤー、ゲーム装置、デジタルカメラ、情報端末機器等の各種の電子機器において使用されるＩＣカードが装着され、ＩＣカードと機器との間の電気的接続を行うカードコネクタに関する。
【背景技術】
【０００２】
ＩＣカードは、カードにＩＣ(Integrated Circuit)が埋め込まれたものである。ＩＣカードの種類として、不揮発性メモリを使用するメモリカードが広く使用されている。メモリカード例えばＳＤメモリカードは、リムーバブルな記録媒体として、携帯型デジタルオーディオプレーヤー、デジタルカメラ等で使用されている。さらに、携帯電話機においては、利用者の固有のＩＤ番号が記録されたＳＩＭカード(Subscriber Identity Module Card)が使用されている。
【０００３】
カードコネクタに対しては、ＩＣカードが挿抜自在とされている。例えばハートカムによるロック機構を使用し、プッシュイン・プッシュアウト方式によりＩＣカードまたはアダプタに装着したＩＣカードをハウジングに対して挿抜するもの等が知られている。
【０００４】
例えば特許文献１には、ＩＣカードを押し込む場合に、ＩＣカードの端面と当接して摺動するイジェクト部材を設けるカードコネクタが記載されている。イジェクト部材は、カードの挿抜方向に延びる本体部と、本体部と直交するカード押圧部と、本体部およびカード押圧部を連結する連結部とを有している。イジェクト部材は、１枚の金属薄板を打ち抜いて、プレス加工されることによって形成される。
【０００５】
イジェクト部材に対しては、コイルばねによって、常に排出方向の力が与えられている。カード押圧部に対してＩＣカードの先端が当接してカードが挿入されると、ハートカムによるロック機構によって挿入状態がロックされる。さらに、ＩＣカードを前方に押し込むことによって、ロックが解除され、コイルばねの付勢力によってイジェクト部材が後退し、ＩＣカードの排出状態となる。
【先行技術文献】
【特許文献】
【０００６】
【特許文献１】特許第４６０７２１７号公報
【発明の概要】
【発明が解決しようとする課題】
【０００７】
特許文献１のカードコネクタにおいては、イジェクト部材のカード押圧部がコイルばねの負荷を大きく受けるので、負荷に対する強度を確保するために、カード押圧部を大きくしたり、連結部の幅を大きくする必要があった。その結果、イジェクト部材の小型化が難しくなり、カードコネクタの占有面積を小さくすることが困難という問題があった。金属ではなく、樹脂製のイジェクト部材も知られているが、樹脂の強度は、一般的に金属より劣り、同一の強度を得るためには、イジェクト部材が大型化する問題があった。
【０００８】
したがって、この発明の目的は、従来のカードコネクタが有するかかる問題を解決し、カードコネクタの占有面積をより小とすることができるカードコネクタを提供することにある。
【課題を解決するための手段】
【０００９】
上述した課題を解決するために、この発明は、カード状体またはカード状体が載置されたトレイが挿入され、カード状体またはトレイが収納可能な扁平な収納空間を有するハウジングと、
ハウジング内においてカード状体またはトレイを移動させる時に、負荷がかかる部分が断面Ｌ字状または断面Ｕ字状とされるイジェクト部材と
を有するカードコネクタである。
【発明の効果】
【００１０】
この発明によれば、カード状体またはトレイを移動させる時に、負荷がかかるイジェクト部材の部分が断面Ｌ字状または断面Ｕ字状とされているので、曲げ剛性が高くなり、従来のイジェクト部材と比較して小型化することができる。したがって、カードコネクタの占有面積をより小とできる。
【図面の簡単な説明】
【００１１】
【図１】この発明の第１の実施の形態によるカードコネクタの六面図である。
【図２】この発明の第１の実施の形態によるカードコネクタの断面図である。
【図３】この発明の第１の実施の形態によるカードコネクタの斜視図である。
【図４】この発明の第１の実施の形態によるカードコネクタのシールドカバーを取り除いた状態の平面図である。
【図５】この発明の第１の実施の形態によるカードコネクタのシールドカバーを取り除いた状態の斜視図である。
【図６】図４の一部拡大平面図である。
【図７】ハートカムの説明のための平面図である。
【図８】この発明の第１の実施の形態によるカードコネクタのシールドカバーを取り除いた状態で、且つガイドピンを取り除いた状態の斜視図である。
【図９】図８の一部拡大斜視図である。
【図１０】この発明の第１の実施の形態によるカードコネクタのシールドカバーを取り除いた状態で、且つスライダーを取り除いた状態の斜視図である。
【図１１】この発明の第１の実施の形態によるカードコネクタのシールドカバーを取り除いた状態で、且つスライダーを取り除いた状態の斜視図である。
【図１２】図１１の一部拡大斜視図である。
【図１３】図１２の一部拡大斜視図である。
【図１４】この発明の第１の実施の形態の効果の説明に用いる一部拡大平面図である。
【図１５】この発明の第１の実施の形態によるカードコネクタのシールドカバーを取り除いた状態で、且つスライダーおよびガイドピンを取り除いた状態の平面図である。
【図１６】図１５の一部拡大斜視図である。
【図１７】この発明の第１の実施の形態によるカードコネクタの一部拡大断面図である。
【図１８】この発明の第１の実施の形態におけるスライダーの六面図である。
【図１９】この発明の第１の実施の形態におけるスライダーの斜視図である。
【図２０】この発明の第１の実施の形態におけるスライダーの斜視図である。
【図２１】この発明の第１の実施の形態におけるスライダーの斜視図である。
【図２２】この発明の第１の実施の形態におけるスライダーの変形例を示す一部平面図である。
【図２３】この発明を適用できるカードコネクタの平面図である。
【図２４】図２３のカードコネクタに対してこの発明を適用した第２の実施の形態における回動レバーの斜視図である。
【発明を実施するための形態】
【００１２】
以下、この発明の実施の形態について図面を参照して説明する。なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１３】
以下の説明は、下記の順序にしたがってなされる。
＜１．第１の実施の形態＞
＜２．第２の実施の形態＞
＜３．変形例＞
【００１４】
＜１．第１の実施の形態＞
この発明の第１の実施の形態によるカードコネクタについて図１乃至図３を参照して概略的に説明する。図１は、カードコネクタ１の六面図である。カードコネクタ１は、絶縁プレート２と、絶縁プレート２と対向して設けられるシールドカバー３とを有する。絶縁プレート２およびシールドカバー３によって、ハウジングが構成される。絶縁プレート２は、例えば液晶ポリマーの成型品である。シールドカバー３は、金属例えばステンレスを折り曲げ加工したものである。
【００１５】
ハウジングの一方の端面のカード挿入口４からＩＣカード５（二点鎖線で示す）例えばＳＩＭカードがハウジング内部に形成されたカード収納凹部に挿入される。ＩＣカード５に関して排出位置と挿入位置との両方の位置が示されている。シールドカバー３には、ＩＣカード５のピンと接触するコンタクトから導出される外部接続用端子が臨む窓部６が形成されている。なお、この明細書においては、カード挿入口４の側を前または前面と称し、カード挿入口と反対側を後または背面と称し、カード挿入口から見て右側の面を右または右側面と称し、左側の面を左または左側面と適宜称する。
【００１６】
ＳＩＭカードとしては、標準のＳＩＭカードより小さい形状のマイクロＳＩＭカード、或いはマイクロＳＩＭカードより小さいナノＳＩＭカードがある。これらのＳＩＭカードは、サイズが異なるが、ピン配置等の物理的特性は、互いに同様とされている。この発明は、何れのＳＩＭカードに対しても適用できる。さらに、ＳＤメモリカード等の他のＩＣカードに対しても適用できる。さらに、サイズが異なるＩＣカードをアダプタに装着して標準のＩＣカードと同様に使用する場合に対してもこの発明を適用することができる。さらに、カードコネクタがトレイを備え、トレイ上にＩＣカードを載置して使用する場合に対してもこの発明を適用することができる。カード状体は、ＩＣカードまたはアダプタを意味している。
【００１７】
図４以下を参照して、この発明の第１の実施の形態についてより詳細に説明する。これらの図では、シールドカバー３を取り除いた状態の絶縁プレート２が示されている。絶縁プレート２は、底板７ａ、右側壁７ｂ、および左側壁７ｃ、後壁７ｄ並びにカード挿入口４に隣接する前壁７ｅが一体に形成され、ＩＣカード５が収納可能な収納空間が形成される。絶縁プレート２の上にシールドカバー３が取り付けられて溶接等で固定される。
【００１８】
コイルばね８によってカード排出方向に付勢されるイジェクト部材としてのスライダー９が設けられる。コイルばね８は、断面Ｕ字状の溝を有する金属製のばね収納部材に収納される。ばね収納部材は、金属製のもので、インサート成型によって、絶縁プレート２と一体に形成される。右側壁７ｂは、ばね収納部材の右側の壁によって形成されている。左側壁７ｃは、インサート成型によって絶縁プレート２と一体に形成されている金属片である。
【００１９】
ＳＩＭカードには、８個のピン（電極、端子、パッドとも称される）が金メッキによって形成されており、各ピンがデータ入力／出力端子、グラウンド端子、電源入力端子等に割り当てられている。例えば携帯電話機用のＳＩＭカードの場合では、実際には、８個のピンの内で６個のピンが使用される。ＳＩＭカードのピン配置と対応して絶縁プレート２には、それぞれ６個のコンタクト１０ａ、１０ｂ、１０ｃ、１０ｄ、１０ｅ、１０ｆが設けられている。なお、コンタクトを個々に区別する必要がない場合には、単に、コンタクト１０と称する。
【００２０】
コンタクト１０は、例えばりん青銅からなるばね接点であり、ハウジングの底面から切り起こされ、先端がＳＩＭカードのピンとの接触面とされている。コンタクト１０の他端が絶縁プレート２の下側に導出され、絶縁プレート２に形成されている窓部６に臨むようになされる。コンタクト１０の他端がハウジングが設置されているプリント配線基板上の配線パターンと半田付けされ、カードコネクタ１に挿入されたＩＣカード５とプリント配線基板との間が電気的に接続される。コンタクト１０は、例えばインサート成型によって絶縁プレート２に設けられている。なお、コンタクト１０以外の他の金属部品も同様にインサート成型によって絶縁プレート２に対して組み込まれている。但し、コイルばね８、スライダー９、ガイドピン等の部品は、絶縁プレート２とは、別部品とされている。
【００２１】
この発明の第１の実施の形態は、プッシュイン・プッシュアウト方式によってＩＣカードを挿抜するものである。すなわち、プッシュイン・プッシュアウト方式では、同一方向の操作力の繰り返しによって押し込み動作と引き出し動作がなされる。具体的には、ハートカム式のプッシュイン・プッシュアウト機構が使用される。
【００２２】
スライダー９は、ＩＣカード５と当接して、ＩＣカード５の挿抜と連動して往復移動する金属製のものである。スライダー９は、コイルばね８によって、常時押し出し方向に付勢されている。コイルばね８は、金属製のばね収納部材内に配置されている。シールドカバー３を除いた状態を示す図１０、図１１、図１２、図１３、図１５および図１６に示すように、右側壁７ｂがばね収納部材の一方の壁であり、側壁７ｆがばね収納部材の右側壁７ｂと平行する他方の壁である。右側壁７ｂと側壁７ｆとの間の溝内にコイルばね８が収納されている。
【００２３】
スライダー９は、後壁７ｄを下側とするほぼＬ字状の平面形状を有する。金属例えばステンレスを絞りおよび曲げ加工することによって、スライダー９が構成される。Ｌ字状の縦の線に対応する摺動部２１と、Ｌ字状の横の線に対応するアーム部２２とを有する。ＩＣカード５の先端の当接部とスライダー９のアーム部２２の先端とが当接するようになされている。ＩＣカード５がカード収納空間に挿入されると、コイルばね８の付勢方向に抗してスライダー９がＩＣカード５と一体に後方に摺動する。
【００２４】
スライダー９に形成された支持孔に対してガイドピン１１の一端が回転自在に挿入される。すなわち、ガイドピン１１の一端が折り曲げ形成され、一端がスライダー９の支持孔に挿入され、ガイドピン１１の回動中心軸が構成される。ガイドピン１１の回転自在の他端が折り曲げられ、折り曲げられたガイドピン１１の端部がピンガイド溝１２の往復共通溝部内１６に挿入されている。ピンガイド溝１２が絶縁プレート２上で、後壁７ｄの側に形成されている。
【００２５】
図７は、ハートカムによるロック機構のみを示している。ピンガイド溝１２は、ハート形をしたハートカム１３の両側に、往路ガイド溝部１４と復路ガイド溝部１５とが設けられ、この往路ガイド溝部１４と復路ガイド溝部１５との合流部に往復共通溝部１６が設けられている。往復共通溝部１６は、ガイドピン１１を取り除いた状態を示す図８および図９、並びに、スライダー９およびガイドピン１１を取り除いた状態を示す図１５および図１６に明瞭に示されている。
【００２６】
ピンガイド溝１２に、ガイドピン１１の端部が挿入されて、往路ガイド溝部１４と復路ガイド溝部１５に沿って端部が循環するようになっている。ピンガイド溝１２およびガイドピン１１の端部によってプッシュイン・プッシュアウト機構が構成される。ガイドピン１１の端部が、これら往路ガイド溝部１４と復路ガイド溝部１５と往復共通溝部１６に沿って循環中に逆戻りしないように、往路ガイド溝部１４と復路ガイド溝部１５と往復共通溝部１６の底面には、移動方向規制用の段部１７ａ、１７ｂ、１７ｃ、１７ｄが設けられている。
【００２７】
段部１７ａは、往路ガイド溝部１４の末端側に達したガイドピン１１の端部が往路ガイド溝部１４側に戻らずにハートカム１３の窪み部である戻り止め停止位置ｃに向かうように設けられている。段部１７ｂは、戻り止め停止位置ｃから端部が段部１７ａ側に戻らないように設けられている。段部１７ｃは、戻り止め停止位置ｃから復路ガイド溝部１５に進むガイドピンの端部が戻り止め停止位置ｃに戻らないように設けられている。段部１７ｄは、復路ガイド溝部１５の末端から往路ガイド溝部１４と往復共通溝部１６とに入ったガイドピンの端部が復路ガイド溝部１５に戻らないように設けられている。
【００２８】
ＩＣカード５が押し出し状態、すなわち、ＩＣカード５が引き出し方向に移動されている状態では、ガイドピン１１の端部が押し出し停止位置ａに位置する。次に、カード押し込み動作、すなわち、プッシュイン動作がなされると、端部が往路ガイド溝部１４を通ってプッシュイン押し込み動作末端停止位置ｂに達し、その位置で押し込み操作力を解除すると、コイルばね８のばね力によって、端部が戻り止め停止位置ｃに達する。
【００２９】
そして、係止解除のための再度のＩＣカード５の押し込み動作、すなわち、プッシュアウト動作によって、ガイドピン１１の端部がプッシュアウト押し込み動作末端停止位置ｄに達する。次に、押し込み操作力を解除することにより、コイルばね８のばね力によって、端部が復路ガイド溝部１５を通って押し出し停止位置ａに戻る。
【００３０】
さらに、図１３、図１６、図１７Ａおよび図１７Ｂに示すように、絶縁プレート２上にカード挿入口４から後壁７ｄに向かう挿入方向に延びるリブ３０が一体に形成されている。リブ３０とばね収納部材３１の側壁７ｆとの間に、ピンガイド溝１２の往復共通溝部１６が形成されている。往復共通溝部１６内にガイドピン１１の摺動端部とスライダー９の突起２７とが挿入される。スライダー９の摺動部２１の側壁２３ａおよび２３ｂがリブ３０および側壁７ｆに跨がって摺動する。これらのリブ３０および側壁７ｆがレールを構成する。なお、図１７においては、ばね収納部材３１の溝内に配されるコイルばね８の図示を省略している。
【００３１】
このように、リブ３０とばね収納部材３１の側壁７ｆによって、溝部を有するレールを構成するのに限らず、絶縁プレート２に対して、レールとしてのリブと、リブ中央の溝部との両方を形成するようにしても良い。
【００３２】
さらに、コイルばね８の付勢力に抗してＩＣカード５を押し込む場合には、スライダー９を回転させる力が発生する。第１の実施の形態では、リブ３０および側壁７ｆの間の往復共通溝部１６内にガイドピン１１の摺動端部が挿入されているので、コイルばね８のばね力によってスライダー９に対して偏った力が加わっても、スライダー９が不安定となることを阻止することができる。さらに、スライダー９の突起２７も往復共通溝部１６内に挿入されているので、より一層スライダー９を安定に摺動させることができる。
【００３３】
リブ３０がピンガイド溝１２の一部を構成する溝部を形成すると共に、スライダー９の摺動する領域に形成されているので、底板７ａのこの領域を薄肉とした場合でも、リフロー処理時に絶縁プレート２に反りが発生することを抑制することが可能となる。
【００３４】
この発明の一実施の形態では、絶縁プレート２の奥側にピンガイド溝１２を形成し、スライダー９を小型とすることによって、カードの押し込みに必要とする押し込み量（図７における位置ａおよび位置ｂ間）、並びにカードの排出量（図７における位置ｄおよび位置ａ間）を大きくすることができる。したがって、正規のＩＣカードに比してより小さい形状のＩＣカードを誤って挿入した場合に、そのＩＣカードを確実に排出することができる。
【００３５】
この発明の第１の実施の形態においては、ＩＣカード５がカードコネクタに対してプッシュイン状態か否かを検知するためのスイッチ１８がカード収納空間内に設けられている。すなわち、ＩＣカード５の挿抜方向の移動に連動して切り替えられるスイッチ１８によって、ＩＣカード５の挿抜状態が検知され、検知結果が信号伝達用のコンタクト１０の活線／非活線状態の切り替え制御等に使用される。
【００３６】
スイッチ１８は、第１のコンタクト１９および第２のコンタクト２０からなる。第１のコンタクト１９および第２のコンタクト２０は、共にりん青銅からなるばね接点であり、インサート成型によって絶縁プレート２のカード収納凹部の後方に設けられている。第１のコンタクト１９と電気的に接続される端子および第２のコンタクト２０と電気的に接続される端子が絶縁プレート２の側面または底面に導出され、外部のプリント配線基板と接続される。
【００３７】
第１のコンタクト１９は、ＩＣカード５の挿抜方向とほぼ直交する板面を有する板バネであり、その基部がカード収納凹部の後壁７ｄの近傍において絶縁プレート２にインサート成型によって固定されている。第１のコンタクト１９の板状のばね部の先端に半円状の突出部が設けられる。さらに、先端がカード挿抜方向と平行となるように折り曲げられる。半円状の突出部がＩＣカード５の前端面と当接する作動部である。
【００３８】
第１のコンタクト１９は、一端が開放され、第１のコンタクト１９の他端側から一端側に延びる細帯状のスリットを有する。スリットは、第１のコンタクト１９の幅の中間位置に形成され、第１のコンタクト１９の他端側から一端側に向かって開口幅が徐々に小となる形状とされている。第１のコンタクト１９の他端の下側端面が第２のコンタクト２０と接触する接触部とされている。接触部は、第２のコンタクト２０の傾斜接触面に沿った傾きを有する。
【００３９】
絶縁プレート２の後壁７ｄに接して窓部が形成され、カードの挿抜方向と平行する板面を有し、後壁７ｄに向かって突出する板状ばねが設けられる。板状ばねの中央部が切り起こされて第２のコンタクト２０とされている。第２のコンタクト２０は、カード挿入口側の基部から後壁７ｄ側の自由端に向かって上昇する傾斜面を有する切り起こし片である。傾斜面に対して第１のコンタクト１９の接触部が接触可能とされている。さらに、第２のコンタクト２０の自由端の近傍がより上側に向くように、傾斜が異ならされている。これは、第１のコンタクト１９の接触部が第２のコンタクト２０の傾斜面に沿って摺動する場合に、第２のコンタクト２０の傾斜面の先端付近では、より大きな接触圧を生じさせ、第１および第２のコンタクトの接触を安定とするためである。
【００４０】
図５には、ＩＣカード５の装着の状態に応じて変化する第１のコンタクト１９の位置が示されている。第１のコンタクト１９ａは、ＩＣカード５の挿入が完了していない状態、すなわち、カード押し出し状態の位置を示す。カード押し出し状態では、第１のコンタクト１９と第２のコンタクト２０とは、非接触状態であり、スイッチＯＦＦの状態（ノーマルＯＦＦ）である。ＩＣカード５が押し込まれた位置を第１のコンタクト１９ｂが示す。そして、ＩＣカード５がプッシュインされ、装着完了状態の位置を第１のコンタクト１９ｃが示す。この状態では、第１のコンタクト１９と第２のコンタクト２０とが接触し、スイッチＯＮの状態となる。
【００４１】
図１８乃至図２１を参照して第１の実施の形態におけるスライダー９の一例について説明する。摺動部２１の絶縁プレート２の底板７ａと対向する内面側に突出して平行する側壁２３ａおよび２３ｂが一体に形成される。一方の側壁２３ａの前側の先端が折り曲げられてばね受け部２４が形成される。側壁２３ａからばね受け部２４に至るコーナー部２５が直角の曲げ角度に対して多少の曲率を持つようになされる。
【００４２】
摺動部２１のアーム部２２の側にガイドピン１１の固定端の支持孔２６が形成される。ガイドピン１１の摺動端がロック機構としてのハートカムのピンガイド溝１２を摺動する。支持孔２６の近傍に内側に斜めに突出する突起２７が形成されている。
【００４３】
側壁２３ｂは、アーム部２２にまで延長して形成される。側壁２３ｂからアーム部２２に至るコーナー部２８が直角の曲げ角度に対して多少の曲率を持つようになされる。アーム部２２に延長された側壁２３ｂの先端面がカード受け部２９となされる。カード受け部２９に対してＩＣカード５の当接部が当接し、ＩＣカード５を押し込むにしたがってスライダー９が奥に移動する。摺動部２１とアーム部２２とを接続する箇所のコーナー部２８に連続的に側壁２３ｂが形成されることによって、断面Ｌ字状となる。このことによって、スライダー９のカード挿入時の曲げ剛性を向上させることができると共に、摺動時にスライダー９のエッジが露出しないので、摺動時にエッジが溝壁を削るおそれがなくなり、スムーズにスライダー９が摺動することができる。
【００４４】
上述したように、この発明の第１の実施の形態では、スライダー９の摺動部２１からアーム部２２に至るコーナー部２８が直角に対して曲率を持つ形状とされ、然も、側壁２３ｂが摺動部２１からアーム部２２にまで、連続して形成されている。したがって、コーナー部２８の強度を大きくすることができる。ＩＣカード５の挿抜時に最もコイルばね８の負荷を一番受けるコーナー部２８の強度が増すので、スライダー９を小型化することができる。さらに、スライダー９がリブ３０と側壁７ｆとを跨がって摺動する場合に、摺動時にスライダー９の側壁２３ｂとリブ３０との摺動範囲において、側壁２３ｂにエッジが生じていないので、エッジによってリブ３０の表面が削られることを防止できる。
【００４５】
さらに、剛性を高くすることができるので、アーム部２２の長さをより長くすることができる。アーム部２２を長くすることによって、カードコネクタに対して正規のＩＣカードに比してより幅が狭いＩＣカードを誤って挿入した場合でも、当該ＩＣカードをスライダー９によって確実に排出することができる。
【００４６】
上述したスライダー９のばね受け部２４の変形例を図２２に示す。すなわち、側壁２３ａを曲率を持って曲げて延長し、延長された部分をばね受け部２４とするものである。この例では、コイルばね８の負荷を大きく受けるコーナー部２５およびコーナー部２８の両方の断面をＬ字状とすることができるので、スライダー９の強度をより大きくすることができる。
【００４７】
＜２．第２の実施の形態＞
図２３は、この発明を適用できるカードコネクタの他の構成例（例えば特開２０１２−２３４６６９号公報参照）を示す。このカードコネクタは、ＩＣカードを収容したカードトレイをハウジングに挿入することにより、ＩＣカードの片面に配置された信号伝達端子がハウジング内に支持された信号伝達用のコンタクトと弾性的に接触するようになされている。操作用ピンをハウジング内に挿入するための挿入孔がカードトレイの前面に設けられている。
【００４８】
図２３に示すカードコネクタでは、カードトレイが所定の位置まで挿入されると、カードトレイが回動レバー４１の端部４２ａと接触する。さらに、カードトレイを押し込むと、カードトレイに押されて回動レバー４１が軸４３を支点として反時計方向に回動する。そしてカードトレイを所定の収納位置、すなわち、ＩＣカードの信号伝達端子と信号伝達用コンタクトとが接触する位置まで挿入される。
【００４９】
一方、カードコネクタよりカードトレイを取り出すには、まず、挿入孔より操作用ピンを挿入する。そして、操作用ピンを押し込むことにより、操作用ロッド４４の先端によって回動レバー４１の他方の端部４２ｂが挿抜方向奥側に向けて押されて回動レバー４１が軸４３を中心に時計方向に回動し、一方の端部４２ａがカードトレイの後縁部を抜き出し方向に向けて押圧する。そして、操作用ピンおよびカードトレイをハウジングより抜き出すことにより、操作用ロッド４４初期位置に復帰する。
【００５０】
回動レバー４１は、操作用ロッドによってその先端が押されるので、押し込み方向の力が先端に加わる。強度を確保するために、例えば金属板からなる回動レバー４１の形状を幅の大きいものとする必要があり、カードコネクタの占有面積が大きくなる問題があった。
【００５１】
この発明の第２の実施の形態では、イジェクト部材として図２４Ａおよび図２４Ｂに示すような回動レバー５０を使用する。回動レバー５０は、支軸が挿入される孔５１に対して直角よりやや広い角度で拡がる操作部５２および押圧部５３を有する。金属例えばステンレスを絞りおよび曲げ加工することによって、操作部５２および押圧部５３が連結するコーナー部５４がＬ字状の断面形状を持つようにされる。
【００５２】
図２４Ｂに示すように、樹脂成型品である絶縁プレートの支軸５５が孔５１に挿入されるように、ハウジング内に回動レバー５０が配置される。ＩＣカード５６が挿入されると、回動レバー５０の押圧部５３が押されて、回動レバー５０が反時計方向に回転する。ＩＣカード５６が所定位置まで挿入された状態が図２４Ｂに示されている。ＩＣカード５６を取り出す時には、回動レバー５０の操作部５２が操作用ピン５７によって押し込まれ、回動レバー５０が時計方向に回転する。回動レバー５０の回転によって、ＩＣカード５６が押し出される。
【００５３】
回動レバー５０は、ＩＣカード５６が挿抜される時に、コーナー部５４に対して最も力が加わる。コーナー部５４が断面Ｌ字状とされているので、１枚の金属板と比較して曲げ剛性が高いものとなる。したがって、回動レバー５０の形状を１枚の金属板からなるものと比較して小型化することができる。その結果、カードコネクタの占有面積をより小とすることができる。
【００５４】
＜３．変形例＞
以上、この発明の実施の形態について具体的に説明したが、上述の各実施の形態に限定されるものではなく、この発明の技術的思想に基づく各種の変形が可能である。例えば、上述の一実施の形態では、負荷がかかる部分の断面をＬ字状としているが、断面をＵ字状としても良い。さらに、付勢部材を有しないカードコネクタに対してもこの発明を適用することができる。この構成においても、移動時の摩擦等によってイジェクト部材に負荷がかかるので、負荷がかかる部分の断面をＬ字状またはＵ字状とすることによって、イジェクト部材をより小型とすることができる。
【００５５】
上述の実施の形態において挙げた構成、方法、工程、形状、材料および数値などはあくまでも例に過ぎず、必要に応じてこれと異なる構成、方法、工程、形状、材料および数値などを用いても良い。
【符号の説明】
【００５６】
１・・・カードコネクタ
２・・・絶縁プレート
３・・・シールドカバー
４・・・カード挿入口
５・・・ＩＣカード
７ａ・・・底板
７ｂ・・・右側壁
７ｆ側壁
８・・・コイルばね
９・・・スライダー
１０ａ〜１０ｆ、１０・・・コンタクト
１１・・・ガイドピン
１２・・・ピンガイド溝
１３・・・ハートカム
１６・・・往復共通溝部
１８・・・スイッチ
２１・・・摺動部
２２・・・アーム部
３０・・・リブ
３１・・・ばね収納部材
４１、５０・・・回動レバー
【図１】
2014179213.tif 000003
【図２】
2014179213.tif 000004
【図３】
2014179213.tif 000005
【図４】
2014179213.tif 000006
【図５】
2014179213.tif 000007
【図６】
2014179213.tif 000008
【図７】
2014179213.tif 000009
【図８】
2014179213.tif 000010
【図９】
2014179213.tif 000011
【図１０】
2014179213.tif 000012
【図１１】
2014179213.tif 000013
【図１２】
2014179213.tif 000014
【図１３】
2014179213.tif 000015
【図１４】
2014179213.tif 000016
【図１５】
2014179213.tif 000017
【図１６】
2014179213.tif 000018
【図１７】
2014179213.tif 000019
【図１８】
2014179213.tif 000020
【図１９】
2014179213.tif 000021
【図２０】
2014179213.tif 000022
【図２１】
2014179213.tif 000023
【図２２】
2014179213.tif 000024
【図２３】
2014179213.tif 000025
【図２４】
2014179213.tif 000026